(57)【要約】      （修正有）【課題】多数の印章の中から必要とする印章を素早く取り出せ、不使用時には分解してコンパクトな形状にできる印章立てを提供する。【解決手段】上面板２と２個の支持脚３で構成する。矩形上面板２には印章７を立てる複数の印章孔４を形成し、対向する２辺の辺側には上面板２の板厚に等しい幅の矩形スリットを辺縁から等距離隔てて各２個設ける。支持脚３は上面板２の板厚に等しく、長さが矩形スリットを設けた上面板２の辺の長さに等しい矩形とし、幅方向一辺縁には上面板２の２個の矩形スリットを同時に通過できる２個のフック形状部を延設する。その基端部には幅が上面板２の板厚に等しいスリット状切り込みを設ける。２個のフック形状部を上面板２の矩形スリットに通し、上面板２がスリット状切り込みに食い込む方向にスライドさせ、食い込み終了時に支持脚３の長手方向辺縁が上面板２の辺縁に達して上面板２が支持脚３に支持された状態となるよう構成する。【選択図】図５
0003200224.tif 000002
【実用新案登録請求の範囲】
【請求項１】
必要な印章を素早く取り出せる状態で多数の印章を収納し、不使用時には分解してコンパクトな形にできる印章立てであって、
該印章立ては上面板と、２個の支持脚からなり、
前記上面板は複数の印章を通す印章孔が複数形成された矩形板で、対向する２辺の各辺側に沿っては上面板の板厚に等しい幅の矩形スリットが辺縁から等距離隔てて各２個設けてあり、
前記２個の支持脚は同形で、長さは前記上面板の矩形スリットが設けられた辺の長さに等しく、板厚は上面板の板厚に等しい矩形板で、矩形の幅方向の一辺縁には前記矩形スリットを通過可能な大きさの２個のフック形状部が同時に前記２個の矩形スリットを通過できる位置に延設されており、該フック形状部は先端部幅が前記矩形スリットの長さに等しく、前記幅方向の一辺縁との間には幅が前記上面板の板厚に等しいスリット状切り込みが辺縁に沿って設けてあり、
前記２個の支持脚の各２個のフック形状部を前記上面板の矩形スリットに通し、その状態から各支持脚を上面板が前記支持脚のスリット状切り込みに食い込む方向にスライドさせ、食い込み終了時に支持脚の長さ方向辺縁が上面板の辺縁に達して２個の支持脚が上面板を支持した状態となるように構成してあることを特徴とする印章立て。
【考案の詳細な説明】
【技術分野】
【０００１】
本考案は必要な印章を即座に取り出せるよう多数の印章を立てた状態で収納しておくことができ、使用前あるいは不使用時には分解してコンパクトな形状とすることができる印章立てに関する。
【背景技術】
【０００２】
印章は木、石、角、象牙、金属、合成樹脂などを素材とし、その一面に文字やシンボルを彫刻したもので公私の文書に押して特有の印影を残すために使用される。今日では印面部分をゴムで形成したゴム印も多数使用されており、ゴム印では会社名、住所、日付、部署名、電話番号等の多数の文字やマークが印面に形成される。企業の事務部門、官庁の書類受付部門では多種類の印章を頻繁に使用するため、必要な印章を即座に取り出せるよう、整理して収納しておけることが望ましい。
【０００３】
こうした要望に応えるため印章立て、印章収納箱（印箱）等と呼ばれるものが各種、提案、販売されている。こうした印章立て、印章収納箱は、使用する側からみれば使い易さが重要であるが、インターネットを介した販売が多い今日、販売する側としては注文を受けて発送する際に品物がかさばらないことも重要である。
【０００４】
例えば、特許文献１、２には仕切りを設けた箱形の印章収納体を内蔵する印箱であって、上面に設けた蓋体を開くと印章収納体の後部側が持ち上がって印章を取り出し易くしたものが提案されている。しかし、この印箱は構造が複雑で製作に費用がかかり、商品発送の際にかさばる問題がある。また、特許文献３には底部に朱肉を入れた円筒状容器内に印鑑孔のある中蓋を取り付け、上部には容器を覆う上蓋を取りつけた印鑑立て具が開示されている。しかし、この印鑑立て具の場合、印鑑を取り出す際には一々、上蓋を外す必要があり面倒である。また、全体が円筒形で大きいため商品発送の際にかさばる問題がある。
【先行技術文献】
【特許文献】
【０００５】
【特許文献１】特許第２７３３９０４号公報
【特許文献２】特許第２７９４６５２号公報
【特許文献３】公開実用昭６２−１２３９６７号
【考案の開示】
【考案が解決しようとする課題】
【０００６】
本考案は、従来技術のこうした問題点を解決するためになされたもので、その課題は必要な印章を素早く取り出せるよう多数の印章を立てた状態で収納しておくことができ、使用前あるいは不使用時には分解してコンパクトな形状にすることができる印章立てを提供することにある。
【課題を解決するための手段】
【０００７】
前記課題を解決するための請求項１に記載の考案は、必要な印章を素早く取り出せる状態で多数の印章を収納し、不使用時には分解してコンパクトな形にできる印章立てであって、該印章立ては上面板と、２個の支持脚からなり、上面板は複数の印章を通す印章孔が複数形成された矩形板で、対向する２辺の各辺側に沿っては上面板の板厚に等しい幅の矩形スリットが辺縁から等距離隔てて各２個設けてあり、２個の支持脚は同形で、長さは上面板の矩形スリットが設けられた辺の長さに等しく、板厚は上面板の板厚に等しい矩形板で、矩形の幅方向の一辺縁には矩形スリットを通過可能な大きさの２個のフック形状部が、同時に２個の矩形スリットを通過できる位置に延設されており、該フック形状部は先端部幅が矩形スリットの長さに等しく、幅方向の一辺縁との間には幅が上面板の板厚に等しいスリット状切り込みが辺縁に沿って設けてあり、２個の支持脚の各２個のフック形状部を上面板の矩形スリットに通し、その状態から各支持脚を上面板が支持脚のスリット状切り込みに食い込む方向にスライドさせ、食い込み終了時に支持脚の長さ方向辺縁が上面板の辺縁に達して２個の支持脚が上面板を支持した状態となるように構成してあることを特徴とする印章立てである。
【０００８】
このような構成の印章立ては多数の印章を立てた状態で並べて保管、収納できる。特に、収納する印章がゴム印の場合は、印面とは反対側端面にゴム印の文字が表示されているため必要とする印章を素早くみつけて取り出すことができる。全体がコンパクトな形状であり机の上、引き出し等に保管できる。また、支持脚は使用しないときは上面板から取り外して上面板と重ねてコンパクトに保管できる。印章立てを販売する側からみると、インターネットを介した注文を受けて発送する際には分解したコンパクトな形で発送できるため都合がよい。
【図面の簡単な説明】
【０００９】
【図１】本考案に係る印章立て１の外観斜視図である。
【図２】印章立て１の分解斜視図である。
【図３】支持脚３の平面図である。
【図４】支持脚３の上面板２への取りつけ方説明図である。
【図５】印章立て１に複数の印章７を立てた状態の斜視図である。
【図６】断面円形の印章７を立てるための印章立て１の例である。
【考案を実施するための形態】
【００１０】
以下、本考案に係る印章立ての一実施形態について図面を参照して説明する。図１は本考案に係る印章立て１の外観斜視図、図２はその分解斜視図である。印章立て１は上面板２と、２個の支持脚３を備えて構成されている。上面板２は合成樹脂で形成された厚手の矩形板で、表面には印章を通す印章孔４が表裏を貫いて多数形成されている。印章孔４の平面形状は、収納する可能性のあるゴム印を含む印章の断面、またはそれらを連ねた形状にされている。
【００１１】
矩形の上面板２の対向する左右２辺の各辺側に沿っては、同形状の矩形スリット５が各２個ずつ形成されている。矩形スリット５の幅は上面板２の板厚に等しくしてあり、２個の矩形スリット５は長手方向に間隔をあけ、共に辺縁から等距離隔てた位置に設けてある。左右辺側に沿って設けられた各２個の矩形スリット５は、左右辺の幅中心線に対して対称にしてある。
【００１２】
２個の支持脚３は上面板２を支えるためのもので、図３に示すように矩形状部３ａの幅方向一辺縁に２個の同形状フック形状部３ｂを延設して形成されている。支持脚３は上面板２と同じ材料を使用し、同じ板厚にしてある。矩形状部３ａの長手方向寸法は、上面板２における矩形スリット５が設けられた辺の長さに等しくしてある。フック形状部３ｂの上辺長さは上面板２の矩形スリット５の長さより僅かに短くしてある。２個のフック形状部３ｂの形成位置は、２個のフック形状部３ｂを上面板２の２個の矩形スリット５に同時に嵌め込むことができる位置にしてある。矩形状部３ａに延設されたフック形状部３ｂの根元の部分、即ち、延設開始部には、幅が上面板２の板厚に等しいスリット状切り込み３ｃが辺縁に沿って設けてある。
【００１３】
図４は、支持脚３の上面板２への取りつけ方の説明図である。最初に図４の（１）に示すように、各支持脚３の２個のフック形状部３ｂを上面板２の２個の矩形スリット５の真下になる状態とし、次に矢印のように支持脚３を持ち上げて上面板２の２個の矩形スリット５に同時に嵌め込んで図４の（２）の状態にする。次いで、フック形状部３ｂのスリット状切り込み３に上面板２が食い込む方向に支持脚３を図４の（３）の矢印方向にスライドさせる。スリット状切り込み３ｃは上面板２の板厚に等しくしてあるので、スライドさせるとスリット状切り込み３ｃに上面板２が食い込む。 スリット状切り込み３ｃの長さは、食い込みが終了したときに支持脚３の長さ方向辺縁が上面板２の辺縁に達する長さにしてある。食い込みが終了すると上面板２は２個の支持脚３に支持した状態となる。
【００１４】
図５は、このようにして組み立てた印章立て１に複数の印章７を立てた状態の斜視図である。印章７は印面を下にして立てる。印面が印章立て１を載置した台の表面に接触するため、印面の保護と台の汚れ防止のため台表面にはビニールシートを敷いておくとよい。支持脚３の高さは立てる印章７の長さを考慮して決める。上面板２の表面に形成する印章孔４の形状は、立てる印章７に合わせて各種形成しておく。図６は断面円形の印章７を立てるための印章立て１の例である。
【００１５】
以上説明した本実施形態の印章立ては、図５、図６に示したように多数の印章７を立てた状態で並べて保管、収納できる。特に、収納する印章がゴム印の場合は、印面とは反対側端面にゴム印の文字が表示されているため、必要とする印章を即座にみつけて取り出すことができる。全体がコンパクトな形状のため、机の上、引き出し等に保管できる。また、支持脚３の取り付けは図４に示した構造になっているため、使用しないときは上面板２から取り外して上面板２に重ねてコンパクトに保管できる。この印章立てを販売する側からみると、インターネットを介した注文を受けて発送する際には分解したコンパクトな形で発送できるため都合がよい。
【符号の説明】
【００１６】
図面中、１は印章立て、２は上面板、３は支持脚、３ａは矩形状部、３ｂはフック形状部、３ｃはスリット状切り込み、４は印章孔、５は矩形スリット、７は印章を示す。
【図１】
0003200224.tif 000003
【図２】
0003200224.tif 000004
【図３】
0003200224.tif 000005
【図４】
0003200224.tif 000006
【図５】
0003200224.tif 000007
【図６】
0003200224.tif 000008